(57)【特許請求の範囲】
【請求項１】
発射レールの発射位置に配置されたパチンコ球を打突して発射する発射部材と、
賞品球受け皿から前記発射位置の近傍までを結ぶパチンコ球通路と、
パチンコ球を収容可能な凹部を有し、該凹部が前記パチンコ球通路の出口を臨む受け取り位置から該凹部が前記発射位置を臨む受け渡し位置まで回動自在であり、該凹部の縁の内、前記受け渡し位置に向かう前記搬送部材の回動方向に対して後方側の縁に、当該凹部から遠ざかるに連れて浅くなる溝が形成された搬送部材と、
を備え、前記発射位置へパチンコ球を逐次供給する様に構成されたパチンコ球発射装置であって、
当該凹部にパチンコ球が収容されて前記搬送部材が前記受け渡し位置に向かって回動する際、当該凹部に収容されているパチンコ球の次に当該凹部に収容される予定のパチンコ球が当該凹部の縁に引っ掛からない様に、当該凹部の縁の内、前記受け渡し位置に向かう前記搬送部材の回動方向に対して後方側の縁が、前方側の縁よりも低くなっていることを特徴とするパチンコ球発射装置。
【請求項２】
前記凹部の後方側の縁に、当該凹部から遠ざかるに連れて浅くなる断面Ｕ字状又はＶ字状の溝が形成されていることを特徴とする請求項１に記載のパチンコ球発射装置。
【発明の詳細な説明】
【０００１】
【発明の属する技術分野】
本発明は、パチンコ遊技機を構成するパチンコ球発射装置に関し、特に、発射レール上の発射位置にパチンコ球を搬送する機構に特徴があるパチンコ球発射装置に関する。
【０００２】
【従来の技術、及び発明が解決しようとする課題】
従来、パチンコ球発射装置は、発射レール上の所定の発射位置にパチンコ球を配置し、このパチンコ球を発射部材が打突することによって、パチンコ球を遊技領域へ向けて発射する様に構成されている。
【０００３】
【０００４】
【０００５】
本発明は、パチンコ球を収容可能な凹部を有する搬送部材を円滑に回動させることを目的とする。
【０００６】
【課題を解決するための手段、及び発明の効果】
この様な目的を達成するため、本発明にかかるパチンコ球発射装置は、請求項１に記載されている様に、発射レールの発射位置に配置されたパチンコ球を打突して発射する発射部材と、賞品球受け皿から前記発射位置の近傍までを結ぶパチンコ球通路と、パチンコ球を収容可能な凹部を有し、該凹部が前記パチンコ球通路の出口を臨む受け取り位置から該凹部が前記発射位置を臨む受け渡し位置まで回動自在であり、該凹部の縁の内、前記受け渡し位置に向かう前記搬送部材の回動方向に対して後方側の縁に、当該凹部から遠ざかるに連れて浅くなる溝が形成された搬送部材と、を備え、前記発射位置へパチンコ球を逐次供給する様に構成されたパチンコ球発射装置であって、当該凹部にパチンコ球が収容されて前記搬送部材が前記受け渡し位置に向かって回動する際、当該凹部に収容されているパチンコ球の次に当該凹部に収容される予定のパチンコ球が当該凹部の縁に引っ掛からない様に、当該凹部の縁の内、前記受け渡し位置に向かう前記搬送部材の回動方向に対して後方側の縁が、前方側の縁よりも低くなっていることを特徴とする。
【０００７】
本発明にかかるパチンコ球発射装置では、次の様にして発射レール上の発射位置へパチンコ球を供給する。まず、パチンコ球は、パチンコ球発射装置の正面の遊技盤の下方に設けられている賞品球受け皿から、パチンコ球通路を通って発射位置の近傍（パチンコ球通路の出口）まで進む。すると、パチンコ球を収容可能な凹部を有する搬送部材が、受け取り位置（凹部がパチンコ球供給口を臨む位置）にて凹部にパチンコ球を収容する。そして、搬送部材が、受け取り位置から受け渡し位置（凹部が発射位置を臨む位置）まで回動する。すると、受け渡し位置にて凹部から発射位置へパチンコ球が供給される。そして、凹部から発射位置へパチンコ球を供給すると、搬送部材は、受け取り位置へ戻る。すると、次のパチンコ球が凹部に収容される。そして、この様な一連の動作を繰り返すことにより、発射位置へパチンコ球が逐次供給され、発射位置に配置されたパチンコ球は、発射部材により逐次打突されて発射される。
【０００８】
【０００９】
【００１０】
【００１１】
ところで、凹部にパチンコ球が収容されて搬送部材が受け渡し位置に向かって回動する際、凹部に収容されているパチンコ球の次に凹部に収容される予定のパチンコ球が凹部の縁に引っ掛かり、その結果、搬送部材の円滑な回動が阻害されるおそれがある。これは、パチンコ球通路内のパチンコ球は、賞品球受け皿から隙間なく連なっており、個々のパチンコ球が凹部側（下流側）に向かって進もうとするので、次に凹部に収容される予定のパチンコ球には、上流のパチンコ球が凹部に向かって進もうとする力が重畳された大きな力が作用するからである。
【００１２】
そこで、請求項１に記載されている様に、前記凹部は、当該凹部にパチンコ球が収容されて前記搬送部材が前記受け渡し位置に向かって回動する際、当該凹部に収容されているパチンコ球の次に当該凹部に収容される予定のパチンコ球が当該凹部の縁に引っ掛からない様に、当該凹部の縁の内、前記受け渡し位置に向かう前記搬送部材の回動方向に対して後方側の縁が、前方側の縁よりも低くなっていると更に良い。
【００１３】
この様に構成されている場合には、受け取り位置にて搬送部材の凹部にパチンコ球が収容され、搬送部材が受け渡し位置に向かって回動すると、凹部に収容されているパチンコ球の次に凹部に収容される予定のパチンコ球は、凹部に収容されているパチンコ球に当接している状態から、引っ掛かることなく後方側の縁に移動することができる。従って、搬送部材の円滑な回動を阻害するおそれはない。
【００１４】
そして、請求項１に記載されている様に、前記凹部の後方側の縁に、当該凹部から遠ざかるに連れて浅くなる溝が形成されている構成としても良い。
この様に構成されている場合には、次に凹部に収容される予定のパチンコ球は、凹部に収容されているパチンコ球から離れた後、溝に沿って円滑に誘導されるので、搬送部材をより一層円滑に回動させることができる。
また、請求項２に記載されている様に、前記凹部の後方側の縁に、当該凹部から遠ざかるに連れて浅くなる断面Ｕ字状又はＶ字状の溝が形成されている構成としても良い。
【００１５】
【発明の実施の形態】
以下、本発明の一実施例を図面に基づいて説明する。
まず、本実施例のパチンコ球発射装置の構成について説明する。
図１，２は、本実施例のパチンコ球発射装置の構成を説明するための正面図であり、図１は搬送ドラムが受け取り位置にある状態を表し、図２は搬送ドラムが受け渡し位置にある状態を表す。図３は、図１の状態にある搬送用駆動カムの拡大図である。図４は、図１の状態にあるパチンコ球発射装置の平面図である。尚、図４では、第１コイルバネ，第２コイルバネ等は省略されている。
【００１６】
図１乃至４に示す様に、本実施例のパチンコ球発射装置１は、発射レール１１の発射位置に配置されたパチンコ球Ｂを打突するための発射槌１２と、発射槌１２が発射位置へ向かう様に付勢する第１コイルバネ１３と、発射モータ１４（図１，２では省略）の回転軸１４ａに取り付けられて一方向に回転し、発射槌１２に取り付けられたカム受け部１２ａに係脱して、回動軸１２ｂを中心として発射槌１２を回動させる発射用駆動カム１５と、賞品球受け皿（図示せず）から発射位置の近傍までを結ぶパチンコ球通路１６と、パチンコ球Ｂを収容可能な凹部１７ａが側面に形成され、凹部１７ａがパチンコ球通路１６の出口１６ａを臨む受け取り位置（図１参照）から凹部１７ａが発射位置を臨む受け渡し位置（図２参照）まで回動自在に軸支された円柱形状の搬送ドラム１７と、一端にカム受け部１８ａが形成され、他端に搬送ドラム１７が連結された搬送腕１８と、搬送ドラム１７が受け取り位置へ向かう様に搬送腕１８を付勢する第２コイルバネ１９と、発射モータ１４の回転軸１４ａに取り付けられて一方向に回転し、搬送腕１８に設けられたカム受け部１８ａに係脱して、回動軸１２ｂを中心として搬送腕１８を回動させることによって搬送ドラム１７を回動させる搬送用駆動カム２０と、を備え、受け取り位置にて凹部１７ａにパチンコ球Ｂを収容し、搬送腕１８に設けられたカム受け部１８ａに搬送用駆動カム２０が係脱することにより、第２コイルバネ１９の付勢力に抗して受け取り位置から受け渡し位置まで搬送ドラム１７を回動させ、受け渡し位置にて凹部１７ａから発射レール１１の発射位置へパチンコ球Ｂを供給した後に、第２コイルバネ１９の付勢力により受け取り位置まで搬送ドラム１７を回動させて次のパチンコ球Ｂを凹部１７ａに収容させることにより、発射レール１１の発射位置へパチンコ球を逐次供給する様に構成されている。
【００１７】
発射レール１１と搬送ドラム１７との間は、隔壁２１（図１，２では省略）によって仕切られており、パチンコ球Ｂは、隔壁２１に設けられている窓部２１ａを通って搬送ドラム１７側から発射レール側１１へと移動する。
搬送用駆動カム２０は、搬送ドラム１７が受け取り位置から受け渡し位置まで移動する際、受け渡し位置に近付く程回動速度が低下する様に構成されている。具体的には、図３に示す様に、受け渡し位置に近付く程、搬送用駆動カム２０が搬送腕１８のカム受け部１８ａと当接する点と搬送用駆動カム２０の回動中心点（発射モータ１４の回転軸１４ａ）との距離が緩やかに変化する形状となっている。搬送ドラム１７の回動速度は、発射モータ１４の回転軸１４ａに取り付けられて一方向に等速回転する搬送用駆動カム２０が搬送腕１８のカム受け部１８ａと当接する点と搬送用駆動カム２０の回動中心点（発射モータ１４の回転軸１４ａ）との距離の変化量に略比例するからである。
【００１８】
又、搬送ドラム１７の凹部１７ａは、収容されたパチンコ球Ｂが凹部１７ａ内において上下前後左右に僅かに移動することができる程度の大きさとなっている。具体的には、凹部１７ａの深さ方向及び幅方向の長さは、パチンコ球の直径より１０％程度長くなっている。又、凹部１７ａにパチンコ球Ｂが収容されて搬送ドラム１７が受け渡し位置に向かって回動する際、凹部１７ａに収容されているパチンコ球Ｂの次に凹部１７ａに収容される予定のパチンコ球Ｂが凹部１７ａの縁に引っ掛からない様に、凹部１７ａの縁の内、受け渡し位置に向かう搬送ドラム１７の回動方向に対して後方側の縁が、前方側の縁よりも低くなっており、更に凹部１７ａの後方側の縁には、凹部１７ａから遠ざかるに連れて浅くなる断面Ｖ字状の溝１７ｂが形成されている。具体的には、溝１７ｂの深さは、パチンコ球Ｂの直径の２５％程度となっている。即ち、パチンコ球Ｂの直径をＸとすると、凹部１７ａの深さは約１．１０Ｘ，溝１７ｂの深さは約０．２５Ｘであり、「凹部１７ａの深さ」−「パチンコ球Ｂの直径」＜「溝１７ｂの深さ」という関係である。
【００１９】
搬送ドラム１７と搬送腕１８とは、搬送ドラム１７に突設されている連結軸１７ｃを搬送腕１８に形成されている長孔１８ｂに挿通することによって接続されている。
続いて、本実施例のパチンコ球発射装置の作用について説明する。
【００２０】
まず、パチンコ球Ｂは、賞品球受け皿から、パチンコ球通路１６を通って出口１６ａまで進む。
すると、パチンコ球Ｂを収容可能な凹部１７ａを有する搬送ドラム１７が、受け取り位置にて凹部１７ａにパチンコ球Ｂを収容する。
【００２１】
そして、発射モータ１４の回転軸１４ａに取り付けられている搬送用駆動カム２０が図１，２において反時計回りに回転すると、搬送用駆動カム２０が搬送腕１８のカム受け部１８ａを押し、搬送腕１８は第２コイルバネ１９の付勢力に抗して時計回りに図１に示す位置から図２に示す位置まで回動し、これに伴って搬送ドラム１７は受け取り位置から受け渡し位置まで回動する。
【００２２】
すると、受け渡し位置にて凹部１７ａから発射レール１１へパチンコ球が供給される。
搬送ドラム１７が受け取り位置から受け渡し位置まで回動する際、受け渡し位置に近付く程回動速度が低下する様に搬送用駆動カム２０の形状が設定されているので、パチンコ球は、受け渡し位置にて凹部１７ａから発射レール１１へ静かに排出される。
【００２３】
そして、更に搬送用駆動カム２０が回転すると、搬送腕１８は、第２コイルバネ１９の付勢力により図２に示す位置から図１に示す位置まで回動し、これに伴って搬送ドラム１７は受け取り位置へ戻り、次のパチンコ球Ｂが凹部１７ａに収容される。
【００２４】
そして、搬送用駆動カム２０と同じく発射モータ１４の回転軸１４ａに取り付けられている発射用駆動カム１５が、図２に示す位置から更に反時計回りに回転すると、発射用駆動カム１５が発射槌１２のカム受け部１２ａを押し、発射槌１２は第１コイルバネ１３の付勢力に抗して時計回りに回動する（所謂バックスィング）。
【００２５】
更に発射用駆動カム１５が回転すると、発射槌１２は、第１コイルバネ１３の付勢力により反時計回りに回動し、発射レール１１の発射位置に配置されているパチンコ球Ｂを打突して発射する。尚、発射位置は、図２におけるパチンコ球Ｂの位置よりも約５ｍｍ下流であり、パチンコ球Ｂは、発射槌１２がバックスィングを行っている間に図２に示す位置から発射位置に移動する。
【００２６】
この様な一連の動作を繰り返すことにより、発射レール１１の発射位置へパチンコ球が逐次供給され、発射レール１１の発射位置に配置されたパチンコ球Ｂは、発射槌１２により逐次打突されて発射される。
尚、本実施例において、発射槌１２が前述の発射部材に相当する。
【００２７】
続いて、本実施例のパチンコ球発射装置の効果について説明する。
搬送ドラム１７が受け取り位置から受け渡し位置まで回動する際、単純に等速で回動する様に構成されている場合には、受け渡し位置にてパチンコ球Ｂが凹部１７ａから勢い良く飛び出してしまい、発射レール１１の発射位置で静止しないおそれがあるが、本実施例のパチンコ球発射装置１によれば、搬送ドラム１７が受け渡し位置に近付く程回動速度が低下する様に搬送用駆動カム２０の形状が設定されているので、パチンコ球Ｂは、受け渡し位置にて凹部１７ａから発射レール１１の発射位置へ静かに排出される。従って、発射レール１１の発射位置においてパチンコ球Ｂを確実に静止させることができ、これにより、発射槌１２に打突されて発射されるパチンコ球Ｂの進行方向及び速度を一定に保つことができる。
【００２８】
又、受け取り位置から受け渡し位置までのパチンコ球Ｂの搬送が、搬送ドラム１７の回動によって行われるので、動作が非常に円滑である。
又、搬送ドラム１７の凹部１７ａの縁の内、受け渡し位置に向かう搬送ドラム１７の回動方向に対して後方側の縁が、前方側の縁よりも低くなっており、更に、凹部１７ａの後方側の縁には、凹部１７ａから遠ざかるに連れて浅くなる断面Ｖ字状の溝１７ｂが形成されているので、凹部１７ａに収容されているパチンコ球Ｂの次に凹部１７ａに収容される予定のパチンコ球Ｂは、凹部１７ａに収容されているパチンコ球Ｂに当接している状態から、引っ掛かることなく後方側の縁に移動することができる。更に、次に凹部１７ａに収容される予定のパチンコ球Ｂは、凹部１７ａに収容されているパチンコ球Ｂから離れた後、断面Ｖ字状の溝１７ｂに沿って円滑に誘導されるので、搬送ドラム１７を円滑に回動させることができる。
【００２９】
以上、本発明の一実施例について説明したが、本発明は前述した実施例に何等限定されるものではなく、更に種々の態様において実施しても良いことはもちろんである。
例えば、実施例では、発射モータ１４の回転軸１４ａに搬送用駆動カム２０が取り付けられており、発射モータ１４が発射用駆動カム１５だけでなく搬送用駆動カム２０の駆動源としても利用されているが、搬送用駆動カム２０の駆動源が別途設けられていても良い。又、実施例では、発射槌１２の回動軸１２ｂが発射槌１２だけでなく搬送腕１８の回動軸としても利用されているが、搬送腕１８の回動軸が別途設けられていても良い。
【００３０】
又、実施例では、搬送ドラム１７の側面の溝１７ｂは断面Ｖ字状であるが、Ｕ字状等であっても良い。
【図面の簡単な説明】
【図１】  搬送ドラムが受け取り位置にある状態におけるパチンコ球発射装置の正面図である。
【図２】  搬送ドラムが受け渡し位置にある状態におけるパチンコ球発射装置の正面図である。
【図３】  図１の状態にある搬送用駆動カムの拡大図である。
【図４】  搬送ドラムが受け取り位置にある状態におけるパチンコ球発射装置の平面図である。
【符号の説明】
１…パチンコ球発射装置    １１…発射レール    １２…発射槌    １２ａ…カム受け部    １２ｂ…回動軸    １３…第１コイルバネ    １４…発射モータ    １４ａ…回転軸    １５…発射用駆動カム    １６…パチンコ球通路    １６ａ…出口    １７…搬送ドラム    １７ａ…凹部    １７ｂ…溝    １７ｃ…連結軸    １８…搬送腕    １８ａ…カム受け部    １８ｂ…長孔    １９…第２コイルバネ    ２０…搬送用駆動カム    ２１…隔壁    ２１ａ…窓部    Ｂ…パチンコ球。
【図１】
0004568938.tif 000002
【図２】
0004568938.tif 000003
【図３】
0004568938.tif 000004
【図４】
0004568938.tif 000005